(57)【特許請求の範囲】
【請求項１】
下方が開口した大略箱状をなし、ヘッド部を着脱可能な状態で収容配設するとともに開口外縁を覆うプレートを取着し、天井等に一部が埋め込まれて取り付けられるベース部と、火災感知部と回路基板と発報状態を表示する発光素子を有したヘッド部と、を備えた火災感知器において、前記ヘッド部は、平面視において火災感知部の外郭内に発光素子を配設し、前記ベース部は、上下方向の側壁に発光素子の光を通す通光部を設けるとともに、その側壁の外方に通光部に連通して上下方向に延びる光導通部材保持部を連設し、発光素子の光が導入されるとこれを導き光放射面から放射する光導通部材を、その光導通部材保持部に嵌め入れ、光放射面を平面視において火災感知部に重合しない位置に設けてなり、ヘッド部に配設される発光素子からの光が、同ヘッド部を着脱可能な状態で収容するベース部に配設される光導通部材へと、同ベース部の上下方向の側壁に設けられる通光部を通して、導入されるようになしたことを特徴とする火災感知器。
【請求項２】
前記光導通部材は、略棒状をなし、導入される発光素子の光を光放射面の方向に反射させる反射部を有してなる請求項１記載の火災感知器。
【請求項３】
前記光導通部材保持部は、ベース部の上下方向の略全長にわたって形成するとともに、その下方側に段部を形成し、前記光導通部材は、その光導通部材保持部と略同等の全長を有し、その段部に係止する係止段部を形成してなり、その光導通部材は係止段部と上方側端部が挟持されるようにしてなる請求項１又は２記載の火災感知器。
【請求項４】
前記ヘッド部は、下方が開口した断面コ字状をなし、側壁のベース部の通光部に対応する位置に通光孔を形成したヘッド本体を設け、発光素子を取着する回路基板をヘッド本体部に収容配設してなる請求項１乃至３記載の火災感知器。
【請求項５】
前記通光孔を、発光素子の光を通す通光材製のシールにより塞いでなる請求項４記載の火災感知器。
【発明の詳細な説明】
【０００１】
【発明の属する技術分野】
本発明は、天井面などに取り付けられ、火災発生時の高温度や煙の発生を感知して発報する火災感知器、特に、発報状態になったときの動作状況を表示する確認灯を有した火災感知器に関する。
【０００２】
【従来の技術】
この種の火災感知器のうち、天井面に露出的に取り付けられるものとしては図３に示す構成のものが存在する。このものは、天井等に取り付けられるベース部Ｂと、ベース部Ｂに回動操作により着脱可能に設けられるヘッド部Ｈを有する。ヘッド部Ｈは、煙センサ及び／または温度センサ等のセンサ（図示せず）を収容した火災感知部Ｈａ、発報状態になったときの動作状況を表示するべく点灯する発光素子Ｈｂ、発光素子Ｈｂ及びセンサを動作させる電気回路装置Ｈｃを設けた回路基板Ｈｄ、そして発光素子Ｈｂの光が導入されると、これを導き、光放射面Ｈｅから下方に放射して確認灯として機能する光導通部材Ｈｆとを備え、これらがヘッド本体Ｈｇに配設される（例えば、特開平９−１２８６６６号）。Ｈｈはヘッド端子部、Ｂｈはベース接触部、Ｈｊは封止部材である。この確認灯として機能する光導通部材Ｈｆは、水平方向外方に延び、ヘッド部Ｈの外周近傍にその放射面Ｈｅを位置させており、確認灯が火災感知部Ｈａに隠れて見にくくなったり、加煙試験がやりづらくなることを防いでいる。
【０００３】
一方、天井面に一部を埋め込んで取り付けられる火災感知器として、図４、図５に示す構成のものが存在する。これらは、火災感知器の天井面から露出する体積を少なくして天井面の見栄え、ひいては部屋全体の外観を良くしたい場合に適している。そして、これらも、前述したものと同様、天井等に取り付けられるベース部Ｂと、ベース部Ｂに回動操作により着脱可能に設けられるヘッド部Ｈを有する。しかしながら、ベース部Ｂの一部を天井面に埋め込む構造であるため、前述したもののように、水平方向外方に延びる光導通部材が設けられず、発光素子をそのまま確認灯として機能させることが一般的である。
【０００４】
すなわち、図４（ａ）、（ｂ）に示すものは、ヘッド部Ｈは、煙センサ及び／または温度センサ等のセンサ（図示せず）を収容した火災感知部Ｈａ、発報状態になったときの動作状況を表示するべく点灯して確認灯として機能する発光素子Ｈｂ、発光素子Ｈｂ及びセンサを動作させる電気回路装置Ｈｃを設けた回路基板Ｈｄとを備え、これらがヘッド本体Ｈｇに配設される。Ｈｈはヘッド端子部である。そして、発光素子Ｈｂは、火災感知部Ｈａに対し、その外周部に外接する位置となるよう回路基板Ｈｄに取着される。そのために、ヘッド本体Ｈｇは、発光素子Ｈｂが位置する部分だけ外方に突出している。
【０００５】
一方、ベース部Ｂは、鍔部Ｂｂを有するベース本体Ｂｃ、上方を塞ぐようにベース本体Ｂｃに取着されるベースカバーＢｄにより、下方が開口した大略箱状をなしている。また、前述したヘッド部Ｈが挿通できる開口を有し、開口外縁（鍔部Ｂｂ等）を覆ってベース本体Ｂｃの開口縁に取着されるプレートＰを有する。そして、プレートＰは、ヘッド部Ｈの着脱のための回動操作を可能にするべく、回動切欠Ｐａを有する。Ｂｈはベース接触部、Ｂｋはベース端子部である。
【０００６】
また、図５（ａ）、（ｂ）に示すものは、前述したもののプレートＰの回動切欠Ｐａを無くしたもので、回路基板ＨｄをプレートＰの下方面より下方に位置させ、ヘッド本体Ｈｇも、発光素子Ｈｂが位置する部分だけ外方に突出するとともに、プレートＰの下方面より下方に突出するようにしている。なお、図４に示すものにおける部材と実質的に同様の部材には同じ符号を付し説明は省略する。
【０００７】
【発明が解決しようとする課題】
前述した図４、図５に示す火災感知器は、前者のものはプレートＰに回動切欠Ｐａを必要とし、後者のものは回動切欠はないもののプレートＰの下方面より下方に発光素子Ｈｂやヘッド本体Ｈｇが突出し、いずれも外観的に好ましいものとは言い難い。また、後者のものはヘッド部Ｈの下方への突出量が多くなる。
【０００８】
本発明は、上記事由に鑑みてなしたもので、その目的とするところは、天井面に一部を埋め込んで取り付けられる火災感知器において、天井面に取り付けた状態での外観を改善できる火災感知器を提供することにある。
【０００９】
【課題を解決するための手段】
上記目的を達成するために、請求項１記載の火災感知器は、下方が開口した大略箱状をなし、ヘッド部を着脱可能な状態で収容配設するとともに開口外縁を覆うプレートを取着し、天井等に一部が埋め込まれて取り付けられるベース部と、火災感知部と回路基板と発報状態を表示する発光素子を有したヘッド部と、を備えた火災感知器において、前記ヘッド部は、平面視において火災感知部の外郭内に発光素子を配設し、前記ベース部は、上下方向の側壁に発光素子の光を通す通光部を設けるとともに、その側壁の外方に通光部に連通して上下方向に延びる光導通部材保持部を連設し、発光素子の光が導入されるとこれを導き光放射面から放射する光導通部材を、その光導通部材保持部に嵌め入れ、光放射面を平面視において火災感知部に重合しない位置に設けてなり、ヘッド部に配設される発光素子からの光が、同ヘッド部を着脱可能な状態で収容するベース部に配設される光導通部材へと、同ベース部の上下方向の側壁に設けられる通光部を通して、導入されるようになる構成としている。
【００１０】
請求項２記載の火災感知器は、請求項１記載の光導通部材を、略棒状とし、導入される発光素子の光を光放射面の方向に反射させる反射部を有してなる構成としている。
【００１１】
請求項３記載の火災感知器は、請求項１又は２記載の光導通部材保持部を、ベース部の上下方向の略全長にわたって形成するとともに、その下方側に段部を形成し、前記光導通部材を、その光導通部材保持部と略同等の全長を有し、その段部に係止する係止段部を形成してなり、その光導通部材は係止段部と上方側端部が挟持されるようにしてなる構成としている。
【００１２】
請求項４記載の火災感知器は、請求項１乃至３記載のヘッド部に、下方が開口した断面コ字状をなし、側壁のベース部の通光部に対応する位置に通光孔を形成したヘッド本体を設け、発光素子を取着する回路基板をヘッド本体部に収容配設してなる構成としている。
【００１３】
請求項５記載の火災感知器は、請求項４記載の通光孔を、発光素子の光を通す通光材製のシールにより塞いでなる構成としている。
【００１４】
かかる火災感知器にあっては、発光素子がベース部のプレートから突出せず、天井面に取り付けた状態での外観を改善でき、ヘッド部の外径も大きくならない等その構成も小型化できる効果を奏する。
【００１５】
また、光導通部材を、略棒状となし、導入される発光素子の光を光放射面の方向に反射させる反射部を有してなる構成とすることにより、前述の効果に加え、光導通部材の形状が簡素化できる。
【００１６】
また、光導通部材保持部を、ベース部の上下方向の略全長にわたって形成するとともに、その下方側に段部を形成し、光導通部材を、その光導通部材保持部と略同等の全長を有し、その段部に係止する係止段部を形成してなり、その光導通部材が係止段部と上方側端部により挟持されるようにしてなる構成とすることにより、前述の効果に加え、簡単な構成でもって光導通部材の保持、固定ができる。
【００１７】
また、ヘッド部に、下方が開口した断面コ字状をなし、側壁のベース部の通光部に対応する位置に通光孔を形成したヘッド本体部を有し、発光素子を取着する回路基板をヘッド本体部に収容配設する構成とすることにより、前述の効果に加え、発光素子や回路基板を保護できる。
【００１８】
さらに、通光孔を、発光素子の光を通す通光材製のシールにより塞いでなる構成とすることにより、前述の効果に加え、ヘッド部への水滴等の侵入を防ぐことができる。
【００１９】
【発明の実施の形態】
次に、本発明の一実施形態を、図１及び図２に基づいて説明する。
【００２０】
本発明の火災感知器１は、下方が開口した大略箱状をなし、ヘッド部を着脱可能な状態で収容配設するとともに開口外縁を覆うプレート３を取着し、天井等に一部が埋め込まれて取り付けられるベース部２と、火災感知部５と回路基板６と発報状態を表示する発光素子７を有したヘッド部４と、ベース部２に配される光導通部材８を主要構成部材としている。
【００２１】
ベース部２は、ベース本体２１、ベースカバー２２、ベース接触部２３、ベース端子部２４、そしてプレート３と光導通部材８を有する。
【００２２】
ベース本体２１は、ＡＢＳ樹脂等のプラスチック材料により、中間底部２１ａと鍔部２１ｂを有した略筒状に形成されることにより、下方が開口した大略箱状をなしている。また、上下方向の側壁２１ｃには、中間底部２１ａより下方（開口側）に後述する発光素子の光を通す通光部２１ｄを設けるとともに、その側壁２１ｃの外方に通光部２１ｄに連通して上下方向に延びる光導通部材保持部２１ｅを連設している。中間底部２１ａは、後述するヘッド部４のヘッド端子部４２が挿通できる開口を有する。
【００２３】
光導通部材保持部２１ｅは、後述する光導通部材８を嵌め入れてこれを保持するものであって、具体的には、ベース部２、実質的にはベース本体２１の上下方向の略全長にわたって形成しており、従って、上下方向に貫通している。そして、平面視において後述する火災感知部に重合しない位置に設ける。さらに、通光部２１ｄの下方側に、貫通空間側に突出する段部２１ｆを形成している。
【００２４】
光導通部材８は、アクリル樹脂やガラス材等の光透過率のよい材料により、光導通部材保持部２１ｅの貫通空間に対応した形状に型造される。具体的には、略棒状であり、ベース部２、実質的にはベース本体２１の上下方向の略全長にわたる長さを有し、下方端面を導入される発光素子７の光を導き放射する光放射面８ａとし、ベース本体２１の段部２１ｆに係止する係止段部８ｆと、通光部２１ｄに対応する位置に導入される発光素子７の光を光放射面８ａの方向に反射させる反射部８ｂを有している。この反射部８ｂは、発光素子７の光軸に対し、略４５°となる面を、棒状形状を切除した形でもって形成している。
【００２５】
プレート３は、ベース本体２１の側壁２１ｃと鍔部２１ｂ、すなわちベース部２の開口外縁を覆う周縁部３ａを有し、その内側の開口３ｂはヘッド部４が挿通できる内径になっている。また、周縁部３ａの光導通部材保持部２１ｅの同軸上に、光導通部材８の光放射面８ａを含む先端部分が嵌合する確認灯孔３ｃを設けている。
【００２６】
かかるベース部２は、中間底部２１ａの上方側にベース接触部２３を取着し、光導通部材保持部２１ｅに光導通部材８を嵌め入れ、ベース端子部２４を取着したベースカバー２２をベース本体２１の上方端部に取着して組立が完了する。これにより、光導通部材８は、係止段部８ｆと上方側端部８ｃが段部２１ｆとベースカバー２２により挟持される。プレート３は、光導通部材８の光放射面８ａを含む先端部分を確認灯孔３ｃに嵌合させ、適宜手段によりベース本体２１に取着される。その結果、光導通部材８の光放射面８ａは、プレート３の下方側表面と略面一となる。また、ベース接触部２３とベース端子部２４は、電気的に接続される。
【００２７】
ヘッド部４は、ヘッド本体４１、ヘッド端子部４２、そして、煙センサ及び／または温度センサ等のセンサ（図示せず）を収容した火災感知部５、発報状態になったときの動作状況を表示するべく点灯する発光素子７、発光素子７及びセンサを動作させる電気回路装置６ａを設けた回路基板６を有する。発光素子７は、ＬＥＤが一般的である。
【００２８】
ヘッド本体４１は、ＡＢＳ樹脂等のプラスチック材料により、底部４１ａと側壁４１ｂにより、下方が開口した断面コ字状に形成され、側壁４１ｂのベース部の通光部２１ｄに対応する位置に通光孔４１ｃを形成している。発光素子７は、回路基板６の上方側面に、平面視において火災感知部５の外郭内であってその光が通光孔４１ｃを通るよう光軸を水平方向にして半田付け等により取着される。この回路基板６は、ねじ固定や溶着等適宜の取着手段にて取着されてヘッド本体４１に収容配設される。また、通光孔４１ｃは、その外方面において発光素子７の光を通す通光材製のシール４３を貼着する。
【００２９】
かかるヘッド部４は、火災感知部５のセンサと回路基板６の電気回路装置６ａを電気的に接続し、火災感知部５をねじ固定や溶着等適宜の取着手段にてヘッド本体４１に取着して組立が完了する。
【００３０】
次に、火災感知器１の天井Ｃへの取付について説明する。まず、ベース部２のベース本体２１を、その鍔部２１ｂが天井Ｃの下面に当接するようその開口に挿通する。この状態でのベース部２の天井Ｃへの取付手段は、例えば、鍔部２１ｂと天井Ｃにねじ通し孔を設けておき、ねじにて天井Ｃを挟着する、あるいはベース本体２１に固定ボルトを突設し天井Ｃの裏面に取付ばねを延設しておき、取付ばねの先端部を固定ボルトで固定する等適宜の方法を選択する。これらの選択によっては、プレート３の取着が後になる場合もある。
【００３１】
次に、ヘッド部４を、プレート３の開口３ｂへ挿通し、さらにヘッド端子部４２をベース本体２１の中間底部２１ａの開口に挿通して回動させることにより、ヘッド端子部４２がベース接触部２３に確実に接触するとともに、ヘッド部４がベース部２に確実に固定されて天井Ｃへの取付が完了する。なお、この回動係止固定構造は一般的なものである。
【００３２】
かかる火災感知器１は、火災感知部５が火災を感知して発報すると、発光素子７が点灯し、その光は通光孔４１ｃ、シール４３、通光部２１ｄを通って光導通部材８に入り、その反射部８ｂで約４５°方向転換して下方に導かれ光放射面８ａから放射する。この光放射面８ａは、プレート３の確認灯孔３ｃ内に位置しており、確認灯として機能する。
【００３３】
かかる火災感知器にあっては、発光素子７がベース部２のプレート３から突出せず、天井面に取り付けた状態での突出部分が少なくできて外観を改善でき、発光素子７によりヘッド部４の外径も大きくならない等その構成も小型化できる。
【００３４】
また、光導通部材８を、略棒状となし、導入される発光素子７の光を光放射面８ａの方向に反射させる反射部８ｂを有していることにより、光導通部材８の形状やこれを収容保持する光導通部材保持部２１ｅの形状が簡素化できる。
【００３５】
また、光導通部材保持部２１ｅを、ベース部２の上下方向の略全長にわたって形成するとともに、その下方側に段部２１ｆを形成し、光導通部材８を、その光導通部材保持部２１ｅと略同等の全長を有し、その段部に係止する係止段部８ｆを形成してなり、その光導通部材８が係止段部８ｆと上方側端部８ｃにより挟持されるようにしたことにより、簡単な構成でもって光導通部材８の保持、固定ができる。
【００３６】
また、ヘッド部４に、下方が開口した断面コ字状をなし、側壁４１ｂのベース部２の通光部２１ｄに対応する位置に通光孔４１ｃを形成したヘッド本体部４１を有し、発光素子７を取着する回路基板６をヘッド本体部４１に収容配設することにより、発光素子７や回路基板６を保護できる。
【００３７】
さらに、通光孔４１ｃを、発光素子７の光を通す通光材製のシール４３により塞ぐことにより、ヘッド部４への水滴等の侵入を防ぐことができる。
【００３８】
なお、ヘッド部４への水滴等の侵入が問題にならない場合、シール４３を省略してもよく、また、シール４３に替え、通光孔４１ｃにアクリル樹脂等を嵌め込む、あるいは２色成形にて形成してもよい。
【００３９】
【発明の効果】
本発明の火災感知器は、発光素子がベース部のプレートから突出せず、天井面に取り付けた状態での外観を改善でき、ヘッド部の外径も大きくならない等その構成も小型化できる効果を奏する。
【図面の簡単な説明】
【図１】本発明の一実施形態を示す側面断面図である。
【図２】同上の分解図である。
【図３】従来例を示す側面断面図である。
【図４】別の従来例を示すもので、（ａ）は側面断面図、（ｂ）は平面図である。
【図５】さらに、別の従来例を示すもので、（ａ）は側面断面図、（ｂ）は平面図である。
【符号の説明】
１    火災感知器
２    ベース部
２１    ベース部のベース本体
２１ｄ    ベース本体の通光部
２１ｅ    ベース本体の光導通部材保持部
２２    ベース部のベースカバー
２３    ベース部の接触部
２４    ベース部の端子部
３    プレート
４    ヘッド部
４１    ヘッド部のヘッド本体
４１ｃ    ヘッド本体の通光孔
５    火災感知部
６    回路基板
７    発光素子
８    光導通部材
８ａ    光導通部材の光放射面
８ｂ    光導通部材の反射部
Ｃ    天井
【図１】
0003598951.tif 000002
【図２】
0003598951.tif 000003
【図３】
0003598951.tif 000004
【図４】
0003598951.tif 000005
【図５】
0003598951.tif 000006